(57)【特許請求の範囲】
【請求項１】
動物のグルーミング用ブラシのハンドル（２）の端部に、毛を排出するためのリップ（４０、４２）を備える内側スペース（１０）を画定する２つの要素（７、９）を備えるヘッド（３）と、前記ヘッド（３）内で、前記ヘッド（３）内の除去位置と少なくとも１つのブラッシング位置との間で摺動可能に取り付けられた薄板状の櫛（４）とを含み、この櫛（４）の歯が前記リップ（４０、４２）から突出し、前記櫛（４）はその移動を手動で制御するための手段（１２〜１７）に接続され、この手段（１２〜１７）はヘッド（３）の外部の制御ボタン（１７）により駆動でき、前記ヘッド（３）は櫛（４）の少なくともいくつかの長手方向位置をセッティングするための手段（２５、４７）を含む、手動の伸縮自在櫛を備える動物のグルーミング用ブラシのヘッドにおいて、
前記櫛（４）はクレードル（１２）に横方向摺動によって着脱可能な状態で接続されており、このクレードル（１２）はヘッド（３）内を平行移動可能にする手段に接続され、この平行移動を可能にする手段は、
−  一方の端部がクレードル（１２）に関節接合された連結ロッド（１３）と、
−  この連結ロッド（１３）の他方の端部（１３ｂ）に関節接合された、前記平行移動を制御するためのレバー（１４）と
を含み、上記レバー（１４）は、
（ａ）前記制御ボタン（１７）を受けるための、前記ヘッドの前記上部要素（９）の壁を通過する少なくとも１つの長手方向ほぞ（２６）を有し、
（ｂ）連結ロッド（１３）をヘッド（３）の前記要素（９）に前記関節接合するための側方円筒形つめ（２５）と一体で、この方円筒形つめ（２５）はヘッド（３）の前記上部要素（９）に配置された複数の位置調整用切欠き（４７）と係合し、これらの位置調整用切欠き（４７）によって櫛（４）は複数の長手方向位置にセッティングでき、
（ｃ）ヘッド（３）の下部の要素（７）に枢動可能に取り付けられた関節接合本体（１５）を有し、この関節接合本体（１５）は上記レバー（１４）の円筒形つめ（２５）を前記セッティング用切欠き（４７）に向かって押圧する拡張作用する伸縮ばね（１６）の作用で摺動可能である、
ことを特徴とする、手動の伸縮自在櫛を備える動物のグルーミング用ブラシのヘッド。
【請求項２】
前記クレードル（１２）がＵ字型の横断面を有し、その翼状部（１２ａ）には、前記櫛の後方端部（４ａ）に、前記歯に垂直にかつ前記歯の反対側に配置された反対側溝（４ｂ）に面するとともに反対側溝（４ｂ）に係合することができる内部切欠き（１８）が設けられ、これらの翼状部が外側と、各側に、前記ヘッドの前記２つの要素（７および９）内に、前記クレードルの移動方向に平行に、前記翼状部のために配置されたリブ（３２〜３４および４３〜４５）をカバーする案内溝（１９）とを含むことを特徴とする、請求項１に記載の伸縮自在櫛を備えるブラシのヘッド。
【請求項３】
前記ヘッドの前記上部要素（９）が、前記リブ（４４および４５）の各１つにおいて、したがって前記クレードル（１２）を案内するために、前記制御レバー（１４）の前記つめ（２５）の、したがって前記櫛（４）を支持する前記クレードル（１２）の、平行移動でのセッティングを提供する一連の３つの切欠き（４７）であって、それぞれ前記ヘッド内の前記櫛が格納された除去位置、短毛のブラッシングのための前記櫛の出た位置、および長毛のブラッシングのための前記櫛の出た位置にある一連の３つの切欠き（４７）を含むことを特徴とする、請求項１または２に記載の伸縮自在櫛を備えるブラシのヘッド。
【請求項４】
前記櫛（４）を支持する前記クレードル（１２）の前記移動を制御するための前記手段（１２〜１７）が、追加的な移動ストロークを前記クレードル（１２）へ伝え、前記クレードルを補修管理位置へもたらし、前記櫛（４）との前記クレードル（１２）の連結ゾーンが、側方切欠き（６０）であって、前記櫛（４）と別の櫛または別のグルーミング要素との交換を進めるために、横方向移動を介して、前記櫛（４）が前記クレードル（１２）および前記ヘッドから除去されることを可能にする前記ヘッドを構成する前記２つの要素（７および９）に配置された側方切欠き（６０）に至ることを特徴とする、請求項１に記載の伸縮自在櫛を備えるブラシのヘッド。
【発明の詳細な説明】
【技術分野】
【０００１】
本発明は、動物の毛のグルーミング、より具体的には手動ブラシヘッドに関する。
【背景技術】
【０００２】
犬および猫などの飼いならされた動物の毛を維持するために、それらを定期的にグルーミングすること、および特に、ハンドルと、概して着脱可能かつ交換可能な櫛を備えるヘッドとからなるブラシで、手動でそれらをブラッシングすることが知られている。現在のブラシにおいて、櫛は、金属刃であって、その本体にハンドルのヘッドへ締結するための手段が設けられた金属刃と、傾斜したエッジとからなり、歯は機械加工により作られる。
【０００３】
動物のブラッシング中、ブラッシングにより被毛から除去された抜け毛が歯の間に少しずつ蓄積し、被毛における櫛の歯の係合を制限するとともにブラッシングを妨げる。これを克服するため、ならびに［特許文献１］（仏国特許第２９９９８７１号公報）および［特許文献２］（米国特許出願公開第２００９／０１２６６４８号明細書）に説明されたとおり、製造業者は、櫛へ、櫛の面上を、その歯の間隙の方向に、タペットにより手動で動かされ得る平面パレットを加える。歯の自由端に向かうクリーニング運動が、歯の間隙の間に蓄積された毛束、抜け毛および塵埃を排出し、その元の条件でブラッシングを再開することを可能にする。一般に、ばね手段がタペットをヘッドにおけるその元の除去位置へ戻す。この除去位置において、パレットは、櫛の鋭い歯の攻撃性からユーザを保護しない。金属櫛の歯は薄くて脆く、何らかの追加的な保護が無いと、短い間であっても、ブラシが降ろされると曲げられかつ変形され得る。
【０００４】
［特許文献３］（米国特許出願公開第２０１３／０３４３０４１号明細書）は、これらの欠点を部分的に克服するノミ取りブラシを説明している。薄板状の櫛は２つの部分からなる本体に配置され、櫛が保護されていて環境にとって危険ではない本体内側の除去位置と、ブラッシングするために使用されるように、その歯が本体の外側にあるブラッシング位置との間で開口を通じて長手方向に動かすことができる。本体内への櫛の格納は、スライダ上での摺動により実施され、その歯の移動により、ブラッシングすることにより取られる抜け毛、塵埃および他の堆積物の、本体の開口のエッジへの当接、次いでしたがって歯からの排出をもたらす。
【先行技術文献】
【特許文献】
【０００５】
【特許文献１】仏国特許第２９９９８７１号公報
【特許文献２】米国特許出願公開第２００９／０１２６６４８号明細書
【特許文献３】米国特許出願公開第２０１３／０３４３０４１号明細書
【発明の概要】
【発明が解決しようとする課題】
【０００６】
しかしながら、この機能は、外被の毛におけるノミが見えることを円滑にするためのみに使用され、これに際して櫛を照明するための外部手段によって支援され、毛を滑らかにするのには適していない。
【０００７】
さらに、櫛の交換は検討されておらず、その理由は、摩耗および断裂の場合に、または、異なる形状および間隔を備える歯を有する櫛を使用することにより櫛を動物の毛もしくはグルーミング機能へ適合させるためには、櫛を交換するためにグルーミング工具を容易に交換することが可能ではないような形での、工具を用いた本体の完全な分解を必要とするためである。
【０００８】
最後に、櫛の動きを決定するとともに櫛の適所におけるセッティングをもたらすこの文献において説明された手段は、例えばブラシであって、その湾曲ヘッドがハンドルの端部に配置されるブラシにおいて置き換えられ得ないが、その理由は、櫛を動かすために櫛へ伝えられる直線運動および横方向のセッティング運動が、ヘッドの内側スペースに適合しないだろうからである。同様に、櫛の案内は、細部まで行き届いたノミの除去により生じる力よりはるかに大きい力であるブラッシングおよび毛の力に抵抗するには不十分である。
【０００９】
ブラシであって、櫛の歯の間隙の外へ毛を排出するための手段が設けられたそのヘッドが、櫛であって、このヘッドを除去すること無くかつ工具類を用いること無く交換され得、複数の位置における櫛の横方向のセッティングを確実にする手段と係合する櫛を包含する、ブラシを提供することにより本発明が克服しようとしているのは、まさにこれらの欠点である。
【課題を解決するための手段】
【００１０】
したがって本発明は、ハンドルと、ヘッドであってその本体が、櫛を包含する内部スペースを画定するとともに開口であってそのリップが歯の間隙の外への毛の排出を提供する開口を有する２つの要素であるヘッドとが設けられたブラシであって、前記内側スペースがまた、ヘッドの外部の制御ボタンにより駆動され得る、この櫛の移動を可能にする手段と、櫛の少なくとも１つの長手方向位置のヘッドへのセッティングのための手段とを包含するブラシに関する。
【００１１】
本発明によると、櫛は着脱可能な方法で横方向に摺動させることにより、ヘッド内を平行に移動させ得るクレードルへ接続され、このクレードルはその移動を確実にする手段へ接続され、手段は、
−  連結ロッドであって、その端部の一方がクレードルに関節接合される連結ロッドと、
−  連結ロッドの他方の端部と関節接合された、移動を制御するためのレバーと
を含み、レバーは、
−−  第１に、制御ボタンを受けるために、ヘッドの上部要素の壁を通過する少なくとも１つの長手方向ほぞが設けられ、
−−  第２に、側方円筒形つめであって、連結ロッドを本体へ蝶番式に連結するために使用されるとともにヘッドの上部要素に配置された位置調整用切欠きと係合する側方円筒形つめと一体になっており、これらの切欠きが櫛の複数の位置における櫛のセッティングを提供し、
−−  第３に、ヘッドの下部要素において枢動可能に取り付けられた関節部のための本体を包含し、関節接合のための本体の円筒形つめをセッティング用切欠きに対して押圧するために、下部要素上に関節接合のための本体が、拡張を介して作用するばねの挿入により摺動可能に取り付けられる。
【００１２】
この配置構成により、櫛はクレードルにのみ接続され、機械的に、かつ連結システムであってその構造および動力学がヘッドの内部スペースへ組み込まれるとともに、櫛の出る長さを毛の長さに調節するために、ヘッドの外部の複数の位置を櫛へ伝えることを可能にする連結システムの媒介により、櫛の移動を制御するための手段へ接続されるのはクレードルである。
【００１３】
実施形態において、クレードルはＵ字型の横断面を有し、その翼状部には、櫛の後方端部に、歯に垂直にかつ歯の反対側に配置された反対側溝に面するとともにそこに係合することができる内部切欠きが設けられ、これらの翼状部は外側と、各側に、ヘッドの２つの要素内に、クレードルの移動方向に平行に、それら翼状部のために配置されたリブをカバーする案内溝とを含む。
【００１４】
かくして、櫛の出入りの動きは完全に平行移動して案内されるとともに妨害により詰まりを起こす恐れはない。さらに、溝とリブとの係合が、ブラッシングする際に櫛にかかる力の影響下で横方向にシフトし得ないクレードルの保持を保証する。
【００１５】
好ましい実施形態において、ヘッドの上部要素は、クレードルのその案内リブの各１つにおいて、制御レバーのつめの、したがって櫛を支持するクレードルの、平行移動でのセッティングを提供する一連の３つの切欠きであって、それぞれ、ヘッド内の櫛が格納された除去位置、短毛のブラッシングのための櫛の出る位置、および長毛のブラッシングのための櫛の出る位置にある一連の３つの切欠きを含む。
【００１６】
このように櫛のセッティングに伴う位置が増えることは、櫛がヘッドの内側にあるときだけでなく、その作用位置のうちの各１つにあるときにも、ヘッドにおけるその位置調整を保証し、一方でユーザが歯の突出を彼または彼女がグルーミングしている動物の毛の長さに適合させることを依然として可能にする。
【００１７】
有利には、櫛を支持するクレードルの移動を制御するための手段は、追加的な移動ストロークをクレードルへ伝え、このクレードルを補修管理位置へもたらし、その櫛とのクレードルの連結ゾーンが、側方通路切欠きであって、横方向移動を介して、櫛がクレードルおよびヘッドから除去されること、ならびに別の櫛または別のグルーミング要素とのその交換を可能にするヘッドを形成する２つの要素に配置された側方通路切欠きに至る。
【００１８】
かくして、あまり機械に詳しくないユーザであっても、ヘッドを取り外す必要無しに、ヘッドにおいて不動のままであるクレードルに対して横方向に摺動する動きを櫛へ伝えることにより、櫛を替えることができる。これは、摩耗および断裂の場合に櫛の交換を容易にするだけでなく、櫛を、異なる機能を提供する櫛または別のグルーミング工具と交換すること、または、櫛が二重歯を含む場合にはそれをひっくり返すことも可能にする。
【００１９】
他の特徴および利点は、この櫛の実施形態を示す添付の図面を参照する以下の説明から導き出される。
【図面の簡単な説明】
【００２０】
【図１】ブラシが動物の毛に係合したときのブラシの実施形態の側面立面図である。
【図２】櫛がこのヘッドの内側の保管位置にあるときの、図１のブラシのヘッドの部分断面を備える側面図である。
【図３】櫛が、短毛をブラッシングするために出た位置、長毛をブラッシングするために出た位置にあるときの、ヘッドの側面のおよび断面としての部分図である。
【図４】櫛が、引き出しおよび交換位置にあるときの、ヘッドの側面のおよび断面としての部分図である。
【図５】内側部分を見たときの、ヘッドの上部要素の解された部分断面図としての斜視図である。
【図６】内側部分を見たときの、同じヘッドの下部要素の分解された部分断面図としての斜視図である。
【図７】ヘッドの下部要素の拡大縮尺での斜視図である。
【図８】ヘッドの他のコンポーネントと合せた、ヘッドの下部要素の、拡大縮尺での斜視図である。
【図９】単独のヘッドの上部要素の拡大縮尺での斜視図である。
【図１０】ヘッドの他のコンポーネントと合せた、ヘッドの上部要素の拡大縮尺での斜視図である。
【図１１】櫛が、それぞれ、短毛をブラッシングするために出た位置、長毛をブラッシングするために出た位置、ならびに引き出しおよび交換位置にあるときの、ヘッドの側面のおよび断面としての部分図である。
【図１２】ヘッドが櫛の引き出された位置にあるときのヘッドの斜視図であり、櫛が、それを支持するクレードルの摺動により部分的に引き出されている。
【発明を実施するための形態】
【００２１】
概しておよび図１に示されるとおり、ブラシ１は、ハンドル２と、金属またはポリアミドなどの合成材料でできている櫛４を支持するヘッド３とからなる。櫛４の歯は、矢印６の方向の移動により動物の毛５のブラッシングを提供するために、動物の毛５に貫入することを意図される歯の１つまたは２つの列を含む。櫛は薄板状の形状であり、２つの平らかつ平行な面を含む。
【００２２】
図２〜６に示されるとおり、ヘッド３は、ハンドル２との連結ほぞ８を担持する下部要素７と、図示されていないねじにより要素７へ接続される上部要素９とからなる。
【００２３】
ほぞ８には、ハンドル２とスナップフィットするための図示されていない手段が設けられている。この配置構成は、他の交換可能なグルーミング道具または他の機能を実施するグルーミング道具を備えるハンドルを使用することを可能にする。
【００２４】
図示されていない代替形態において、下部要素７はハンドルと一体構造であるが、同じ機能を提供するために、以下で説明されるものと同じ構造を含み、ハンドルとのヘッドの互換性を除き同じ結果を得ることを可能にする。
【００２５】
ヘッド９の２つの要素７および９は、リップの形のそれらのエッジの間に画定される開口１１を備える内部容積１０を画定する。図２〜４において見ることのできるこの容積は、櫛４を維持するための手段と、櫛４を移動させるとともにこの移動を制御するための手段とを包含する。
【００２６】
櫛４を維持するための手段はクレードル１２からなり、一方でその移動のための手段は、連結ロッド１３と、関節部１５および伸縮ばね１６（好ましくは金属）とを備える制御レバー１４と、制御ボタン１７とを含む。これらのコンポーネントは合成材料の成型により得られ、分解図５および６を参照して詳細に説明される。
【００２７】
クレードル１２はＵ字型の横断面を有し、その２つの翼状部１２ａには、切欠き１８であって、翼状部１２ａの内部面から突出して、クレードル１２のコアに面するとともにそれに平行に配置される切欠き１８が設けられている。これらの切欠きは、櫛４の後方端部４ａに配置される溝４ｂに係合することにより、櫛４を保持するための手段を形成する。これらの溝は、この後方エッジの反対側にある櫛の歯の方向に垂直に配置される。図８および１０は、クレードルの翼状部１２ａの外部面に歯の方向に平行の案内溝１９が設けられることを示す。
【００２８】
クレードル１２のコアには、その外部面から突出して、いくつかの、この実施形態においてはすなわち２つの、フック２０が設けられる。これらのフックは、連結ロッド１３を構成する２つのアーム１３ａのうちの各１つの端部の一方において延在する横方向シャフト２２のための自在軸受を形成する。各アーム１３ａの他方の端部には自在軸受を形成するフック１３ｂが設けられている。
【００２９】
制御レバー１４は管状の本体を含み、そこに関節部１５から突出するほぞ１５ａにより心出しされたばね１６が収容される。図８は、管状の本体１４が２つの長手方向通路２３により境界を定められていることを示しており、２つのアーム１５ｂがほぞ１５ａに平行に摺動し、その両側に配置される。制御レバー１４の本体はまた、一方では、横方向シャフト２５であって、側方に突出するとともに連結ロッドの軸受１３ｂに枢動可能に取り付けられた横方向シャフト２５の２つの先端と一体的であり、他方では、操作のためのボタン１７の締結のために使用される２つの長手方向ほぞ２６と一体的である。
【００３０】
図５および１０は、関節部１５が、円形のシャフト２７の先端により拡張された丸い形の横材１５ｃを含むことを示す。
【００３１】
これらのコンポーネント１２〜１６はケースの要素７および９により画定されたスペース１０に取り付けられるため、ケースの要素７および９が図７〜１０を参照して詳細に説明される。
【００３２】
図７に詳細に示されるとおり、ヘッド３の下部要素７は、滑らかな凸形外部面と、内部面であって、リブ、すなわち、２つの中間リブ３３および２つの側方リブ３４により境界を定められた３つの中央リブ３２が設けられた内部面とを含む射出の未処理の凹形壁からなる。これらのリブは、クレードル２をその動きにおいて案内するために、クレードル２の溝１２と係合することを意図される。中央溝３２は各々、図８に示されるとおり、関節部１５の丸い形の横材１５ｃを受けることができる円形の軸受３５の一部を含み、中間横材３３の各１つは、同じ横材１５ｃのシャフト２７の２つの先端のうちの一方を受けることができる深い軸受３６を含み、かくして横材１５ｃは完全に回転するように案内される。
【００３３】
ヘッドの下部要素７は、その壁から突出して上部要素９との連結ねじの通過のための強化された滑らかなボア３７と、その接続平面Ｐに、図７に示されるリブ３８とを含む。図９は、要素９が、その接続平面Ｐの内部エッジの内側に、要素７および９が組み立てられると、これらの要素の相対的な位置調整を改善するおよびその割れ目を隠すために、要素７のリブ３８を受けることができる隙間３９を含むことを示す。
【００３４】
要素７の前方エッジは、接続平面Ｐに対する凹部として、上部要素９の接続平面の凹部として設けられるリップ４２と同じ方法で、櫛と摺動接触するようになることを意図されるリップ４０を含む。
【００３５】
最後に、２つの要素７および９は、それらが画定する開口１１の両側に、櫛４の後方部分であって櫛４のクレードルが補修管理位置にあるときに開口１１を通過しなければならない櫛４の後方部分の厚さに少なくとも等しい幅の切欠き６０を含む。
【００３６】
図９に詳細に示されるヘッド３の上部要素９は、滑らかな凸形外部面と、その内部面から突出する、中央リブ４３と、２つの中間リブ４４と、２つの外部側方リブ４５とを含む射出のための未処理の凹形壁とからなる。これらのリブは櫛の移動の方向に平行であり、クレードル２をその動きにおいて案内するために、クレードル２の溝１９と係合することを意図される。中央溝４３は、制御レバー１５、および特に２つのスロット４６を通じて要素の壁を通過するそのほぞ２６にスペースを空けるため、他のものよりも短い。
【００３７】
この実施形態において、リブ４４および４５は各々、制御レバー１４のシャフト２５の先端のうちの一方と各々係合し得る一連の３つの円形の切欠き４７を含む。それらは、レバー１４および櫛１２の３つのセッティング位置、すなわち櫛の格納された位置、短毛のための出た位置、および長毛のための出た位置を実現する。
【００３８】
外部リブ４５の切欠き４７は、レバー１４のいかなる横方向の動きも制限する材料４９のベールにより側方におよび外向きに閉鎖される。
【００３９】
最後に、ヘッドの要素９は、それと下部要素７とねじの連結を提供するねじを受け入れるための縦穴５０と一体になっている。
【００４０】
図２において、ヘッド３のコンポーネントが組み立てられ、およびタペットおよびこのヘッドにおける櫛４の格納位置において。制御レバー１４のシャフト２５の先端は切欠き４７において係合されるとともにこの位置における櫛４の係止を提供する。櫛は、誰も傷つけ得ず、その歯が保護されるような方法で、全体がヘッド内にある。
【００４１】
櫛が短毛のブラッシングのために出ている図３の位置へ切り替えるためには、シャフト２５の先端を切欠き４７から出し、次いでレバー１４を切欠き４７に従うように図３の矢印５３の方向に回動させることにより係止解除するために、圧力が第１にタペット１７に、図２の矢印５２の方向に、かけられなければならない。この切り替えの間、ばね１６は圧縮され、関節部１５は固定軸受３５および３６において枢動する。タペット１７上での半径方向力の解放は、そのシャフト２７の先端を、後続の一連の切欠き４７において係合させることにより、ばね１６がレバー１４をセッティング位置へ戻すことを可能にする。
【００４２】
レバー１４の移動は、連結ロッド１３およびクレードル１２により、ヘッドの要素のリップ４０と４２との間での櫛１２の長手方向移動を引き起こし、櫛１２の一部を、図３に示される値Ｄ１だけヘッドから突出させる。
【００４３】
図４において、同じ条件であるが、切欠きのその最終位置におけるレバー１４の移動が、櫛４をＤ１より大きく、長毛のブラッシングに対応する値Ｄ２だけ出す。
【００４４】
２つのブラッシング位置の一方または他方におけるブラシでのブラッシング中、櫛の歯の間の間隔が小穂(ｓｐｉｋｅｌｅｔｓ)、抜け毛および様々なゴミの蓄積により塞がれた場合、トリマーは、櫛をヘッド３内へ格納することにより、櫛を容易に綺麗にすることができる。矢印５３と逆方向の格納移動中、薄板状の櫛の面上を摺動する２つのリップ４０および４２のエッジは、歯の間隙から突出する毛を押しとどめる。これにより、櫛がヘッド内に完全に格納されるまで毛の塊がリップにより押しとどめられることになる。
【００４５】
図１１は、ヘッドの２つの要素７および９を示し、それが包含する機構はクレードルが、ブレース付きでない追加的な補修管理位置へもたらされ得るように構築され、切欠き６０での櫛４とクレードル１２との連結ゾーンが櫛４の横方向移動を可能にする。
【００４６】
図１２は、この補修管理位置において、新たな櫛と交換されるように、または動物の毛に適合された歯を有する櫛と交換されるように、または櫛が二重歯を有する場合はひっくり返されるように、または歯を含むもしくは含まない別のグルーミング工具と交換されるように、のいずれかのために、櫛４が摺動によりクレードルから容易に引き出され得ることを示す。
【００４７】
セッティングにより櫛を作用位置に戻すためには、制御レバー１４によりその格納を制御することで十分である。
【００４８】
先の説明により、本発明によるブラシのヘッドは以下のこと、すなわち、
−  作用位置において、ブラッシングされる動物の被毛に櫛の突出の長さを適合させるために、櫛の突出の長さを修正すること、
−  保管位置において、怪我または鋭い歯により捕捉されることのリスクを抑えるのみならず、その歯を衝撃および摩擦から保護し、かくしてその摩耗および断裂ならびにその汚染を減らすために櫛全体をヘッド内へ戻すこと、ならびに、
−  補修管理位置において、いかなる工具にも頼らずに櫛の交換を進めその互換性を高めること
を可能にすることができることが導き出される。
【図１】
0006713458.tif 000002
【図２】
0006713458.tif 000003
【図３】
0006713458.tif 000004
【図４】
0006713458.tif 000005
【図５】
0006713458.tif 000006
【図６】
0006713458.tif 000007
【図７】
0006713458.tif 000008
【図８】
0006713458.tif 000009
【図９】
0006713458.tif 000010
【図１０】
0006713458.tif 000011
【図１１】
0006713458.tif 000012
【図１２】
0006713458.tif 000013